(57)【要約】【課題】光源部の製造ばらつきの影響を、少ない作業負担で、且つ、部品点数を増やすことなく抑制できる光ピックアップを提供する。【解決手段】光ピックアップ１は、光ビームを出射する光源部１１と、光源部１１から出射される光ビームを光記録媒体２の記録面２ａに集光する集光手段１７と、光源部１１と集光手段１７との間に配置され、所定方向に透過率分布を有して光源部１１の製造ばらつきの影響を補正するための補正膜が形成された光学部材１５と、を備える。【選択図】図１
2009104742.tif 000002
【特許請求の範囲】
【請求項１】
光記録媒体に記録される情報の読み取りや光記録媒体への情報の書き込みを行うために使用される光ピックアップであって、
光ビームを出射する光源部と、
前記光源部から出射される光ビームを前記光記録媒体の記録面に集光する集光手段と、
前記光源部と前記集光手段との間に配置され、所定方向に透過率分布を有して前記光源部の製造ばらつきの影響を補正するための補正膜が形成された光学部材と、
を備えることを特徴とする光ピックアップ。
【請求項２】
前記光源部は、レーザダイオードであって、
前記所定方向は、前記レーザダイオードの活性層に対して平行な方向と垂直な方向とのうち、前記レーザダイオードから出射されるレーザ光の放射角が小さい方の光強度分布を補正可能な方向であることを特徴とする請求項１に記載の光ピックアップ。
【請求項３】
前記光源部と前記集光手段との間に配置され、前記光源部から出射される光ビームを平行光に変換する平行光変換手段を更に備え、
前記光学部材は、前記集光手段と前記平行光変換手段との間に配置されることを特徴とする請求項１又は２に記載の光ピックアップ。
【請求項４】
前記光学部材は、１／４波長板であることを特徴とする請求項３に記載の光ピックアップ。
【請求項５】
光ビームを出射する光源部と、前記光源部から出射される光ビームを光記録媒体の記録面に集光する集光手段と、を備える光ピックアップの製造方法であって、
前記光源部と前記集光手段との間に配置される所定の光学部材について、前記光源部の製造ばらつきの影響を補正するための補正膜が形成されていない第１タイプ、所定方向に所定の透過率分布を有して前記光源部の製造ばらつきの影響を補正するための補正膜が形成される第２タイプ、及び、前記第２タイプの前記所定の透過率分布に対して対称的な透過率分布を有して前記光源部の製造ばらつきの影響を補正するための補正膜が形成される第３タイプ、の３つのタイプを少なくとも用意するステップと、
前記光源部の製造状態に応じて、用意した複数のタイプの中から前記所定の光学部材を１つ選択するステップと、
選択された前記所定の光学部材を前記光ピックアップの光学系に組み込むステップと、
を具備することを特徴とする光ピックアップの製造方法。
【発明の詳細な説明】
【技術分野】
【０００１】
本発明は、光記録媒体に光ビームを照射して、光記録媒体に記録される情報の読み取りや光記録媒体への情報の書き込みを可能とする光ピックアップ、及びその製造方法に関し、特に、光ピックアップが備える光源部の製造ばらつきの影響を抑制する技術に関する。
【背景技術】
【０００２】
コンパクトディスク（ＣＤ）やデジタル多用途ディスク（ＤＶＤ）といった光記録媒体が普及している。更に、近年においては、記録密度の高密度化が更に図られ、例えば、ブルーレイディスク（ＢＤ）等の高密度記録が可能な光記録媒体も実用化されている。このような光記録媒体に記録される情報の読み取りや、光記録媒体への情報の書き込みは、光ピックアップを用いて行われる（例えば、特許文献１、２参照）。
【０００３】
光ピックアップは、光ビームを出射する光源部と、光源部から出射された光ビームを光記録媒体の記録面に集光する対物レンズと、光記録媒体の記録面で反射された光ビームを受光して光電変換する光検出部と、を備える。そして、これにより、光ピックアップは、光記録媒体に光ビームを照射して、光記録媒体に記録される情報の読み取りや、光記録媒体への情報の書き込みを可能とする。
【０００４】
ところで、光ピックアップの製造する場合には、通常、対物レンズに入射する光ビームについて、対物レンズの中心で最も光強度が大きくなるように、その光学系を構成する。すなわち、対物レンズに入射する光ビームの光強度分布について、図５の点線で示すような光強度分布となるようにする。なお、図５は、対物レンズに入射する光ビームの光強度分布について説明するための説明図である。
【０００５】
しかし、従来、光源部に使用されているレーザダイオード（ＬＤ）について、発光点から出射される光ビームの出射方向について、製造ばらつきがあることが知られている。この製造ばらつきのために、光源部から出射される光ビームの出射方向について、本来予定される（理想の）出射方向に対して、大きい場合には例えば２〜２．５°のずれを生じることがあるとされている。
【０００６】
光源部から出射される光ビームの出射方向にずれが生じると、対物レンズへと入射する光ビームの位置が本来狙っていた位置からずれる。このために、例えば、図５に示すように、対物レンズに入射する光ビームの光強度分布（実線）が、狙いの光強度分布（点線）に対してずれを発生する。そして、このような光強度分布のずれが生じると、光ピックアップによる情報の読み取りや書き込みの品質が悪化するといった問題が生じる。
【０００７】
このために、従来においては、ＬＤの製造ばらつきを考慮して、光ピックアップにＬＤを取り付ける際に、光ビームの出射方向が一定の方向となるように、ＬＤの取り付け角の調整（以下では、この調整のことをアオリ調整ということがある）を行っていた。
【特許文献１】特開平９−１３４５４１号公報
【特許文献２】特開平１０−１１２０５５号公報
【発明の開示】
【発明が解決しようとする課題】
【０００８】
しかしながら、上述のアオリ調整を行うためには、アオリ調整専用の調整機構を準備する必要がある。このために、余計なコストが必要となる。また、アオリ調整は、作業者が実際に目で確かめながら、細かい調製を行う必要があるために、その作業負担が大きいといった問題がある。
【０００９】
以上の問題点を鑑みて、本発明の目的は、光源部の製造ばらつきの影響を、少ない作業負担で、且つ、部品点数を増やすことなく抑制できる光ピックアップを提供することである。また、本発明の他の目的は、光源部の製造ばらつきの影響を、少ない作業負担で、且つ、部品点数を増やすことなく抑制できる光ピックアップの製造方法を提供することである。
【課題を解決するための手段】
【００１０】
上記目的を達成するために本発明は、光記録媒体に記録される情報の読み取りや光記録媒体への情報の書き込みを行うために使用される光ピックアップであって、光ビームを出射する光源部と、前記光源部から出射される光ビームを前記光記録媒体の記録面に集光する集光手段と、前記光源部と前記集光手段との間に配置され、所定方向に透過率分布を有して前記光源部の製造ばらつきの影響を補正するための補正膜が形成された光学部材と、を備える特徴としている。
【００１１】
この構成によれば、本来光ピックアップに必要とされる光学部材に、所定方向に透過率分布を有する補正膜を設けることによって、集光手段に入射する光ビームの光強度分布を補正して、光源部の製造ばらつきの影響を補正することが可能となる。このために、光源部の製造ばらつきの影響を、少ない作業負担で、且つ、部品点数を増やすことなく抑制できる。
【００１２】
また、本発明は、上記構成の光ピックアップにおいて、前記光源部は、レーザダイオードであって、前記所定方向は、前記レーザダイオードの活性層に対して平行な方向と垂直な方向とのうち、前記レーザダイオードから出射されるレーザ光の放射角が小さい方の光強度分布を補正可能な方向であるのが好ましい。
【００１３】
これによれば、出射される光ビームの断面形状が楕円形状であるレーザダイオードを有する光ピックアップにおいて、レーザダイオードの製造ばらつきの影響を大きく受ける方向を対象に、対物レンズに入射する光ビームの光強度分布を補正する構成となっている。このために、レーザダイオードの製造ばらつきの影響を簡単な構成で効果的に抑制することが可能である。
【００１４】
また、本発明は、上記構成の光ピックアップにおいて、前記光源部と前記集光手段との間に配置され、前記光源部から出射される光ビームを平行光に変換する平行光変換手段を更に備え、前記光学部材は、前記集光手段と前記平行光変換手段との間に配置されるのが好ましい。
【００１５】
この構成によれば、光学部材に形成する膜（光源部の製造ばらつきの影響を補正する膜）に入射する光ビームが平行光となるために、光学部材に形成する膜の構成を必要以上に複雑化せずに済み、膜の形成を容易とできる。
【００１６】
また、本発明は、上記構成の光ピックアップにおいて、前記光学部材は、１／４波長板であることとしても構わない。
【００１７】
また、上記目的を達成するために本発明は、光ビームを出射する光源部と、前記光源部から出射される光ビームを光記録媒体の記録面に集光する集光手段と、を備える光ピックアップの製造方法であって、前記光源部と前記集光手段との間に配置される所定の光学部材について、前記光源部の製造ばらつきの影響を補正するための補正膜が形成されていない第１タイプ、所定方向に所定の透過率分布を有して前記光源部の製造ばらつきの影響を補正するための補正膜が形成される第２タイプ、及び、前記第２タイプの前記所定の透過率分布に対して対称的な透過率分布を有して前記光源部の製造ばらつきの影響を補正するための補正膜が形成される第３タイプ、の３つのタイプを少なくとも用意するステップと、前記光源部の製造状態に応じて、用意した複数のタイプの中から前記所定の光学部材を１つ選択するステップと、選択された前記所定の光学部材を前記光ピックアップの光学系に組み込むステップと、を具備することを特徴としている。
【００１８】
この構成によれば、光源部の製造ばらつきの影響を補正することができるように、光ピックアップに配置される所定の光学部材について、複数のタイプを用意し、光源部の状態に応じて適切なタイプを選択する構成となっている。このため、所定の光学部材を本来光ピックアップに配置する光学部材として、アオリ調整用の調整機構を準備してアオリ調整を行うことなく、光源部の製造ばらつきの影響を抑制できる。すなわち、本発明の製造方法によれば、光源部の製造ばらつきの影響を、少ない作業負担で、且つ、部品点数を増やすことなく抑制することが可能となる。
【発明の効果】
【００１９】
本発明によれば、光源部の製造ばらつきの影響を、少ない作業負担で、且つ、部品点数を増やすことなく抑制できる光ピックアップ及びその製造方法を提供できる。
【発明を実施するための最良の形態】
【００２０】
以下、本発明の光ピックアップ及びその製造方法について実施形態を示し、図面を参照しながらその内容について詳細に説明する。
【００２１】
光ピックアップは、光記録媒体に対してレーザ光を照射して、光記録媒体に記録されている情報の読み取りや、光記録媒体への情報の書き込みを可能とする装置である。まず、本実施形態の光ピックアップの構成について説明する。図１は、本実施形態の光ピックアップの光学系の構成を示す概略図である。
【００２２】
図１に示すように、本実施形態の光ピックアップ１は、レーザダイオード１１と、回折素子１２と、偏光ビームスプリッタ１３と、コリメートレンズ１４と、１／４波長板１５と、立ち上げミラー１６と、対物レンズ１７と、シリンドリカルレンズ１８と、光検出器１９と、を備える。
【００２３】
なお、ここで示す光ピックアップ１の光学系の構成は、一例に過ぎず、本発明の目的を逸脱しない範囲で、当然、種々の変更が可能である。
【００２４】
レーザダイオード１１は、特定の波長を有するレーザビームを出射する光源である。ここで、特定の波長は、光ピックアップ１が情報の読み取りや書き込みを行う対象によって決定される波長である。例えば、光ピックアップ１が、ＢＤに対応する構成の場合には波長４０５ｎｍのレーザビームを、ＤＶＤに対応する構成の場合には波長６５０ｎｍのレーザビームを、ＣＤに対応する構成の場合には波長７８０ｎｍのレーザビームを、レーザダイオード１１は出射する。
【００２５】
図２は、レーザダイオード１１から出射されるレーザビームについて説明するための説明図である。レーザダイオード１１は、２つのクラッド層１１１ａ、１１１ｂに活性層１１２がサンドイッチされた構造となっており、活性層１１２でキャリア、光のとじ込みを行い、レーザ発振を起こす。
【００２６】
図２に示すように、レーザダイオード１１からの放射光は、ｘ軸方向（活性層１１１に対して平行な方向）とｙ軸方向（活性層１１１に対して垂直な方向）とで放射角が異なるために、その断面形状が楕円形状となっている。なお、ｘ軸方向の放射角（θｘ）に比べｙ軸方向の放射角（θｙ）の方が大きくなっている。
【００２７】
回折素子１２は、所定の回折パターンを有する回折格子を備え、レーザダイオード１１から出射されたレーザビームについて、主ビームと２つの副ビームとに分ける機能を有する。回折素子１２から出射したレーザビームは、偏光ビームスプリッタ１３に送られる。
【００２８】
偏光ビームスプリッタ１３は、レーザダイオード１１から出射された所定の偏光方向を有する直線偏光を反射する。一方で、光記録媒体２で反射された戻り光（復路のレーザビーム）について透過させる。なお、偏光ビームスプリッタ１３に入射する戻り光は、１／４波長板１５の作用により、レーザダイオード１１から出射された直線偏光と偏光方向が９０°異なっている。偏光ビームスプリッタ１３で反射された往路のレーザビームは、コリメートレンズ１４へと送られる。
【００２９】
コリメートレンズ１４は、入射する発散光を平行光に変換する機能を有する（すなわち、平行光変換手段として機能する）。したがって、コリメートレンズ１４は、偏光ビームスプリッタ１３から送られてきたレーザビームを略平行光に変換する。コリメートレンズ１４から出射された往路のレーザビームは、１／４波長板１５へと送られる。
【００３０】
１／４波長板１５は、直線偏光である往路のレーザビームについて円偏光に変換するとともに、円偏光である復路のレーザビームについて、往路のレーザビームと偏光方向が９０°異なる直線偏光に変換する機能を有する。また、１／４波長板１５の往路のレーザビームが入射する入射面１５ａには、所定方向に透過率分布を有する補正膜（例えば誘電体多層膜からなる）が形成（蒸着）されている場合がある。
【００３１】
１／４波長板１５に上述の補正膜を形成する理由は、レーザダイオード１１の製造ばらつきによって、レーザダイオード１１から出射されるレーザビームの出射方向が、狙いの出射方向からずれる場合があり、そのずれを補正するためである。したがって、光ピックアップ１に配置されるレーザダイオード１１について、出射されるレーザビームの出射方向が狙いの出射方向に対してずれていない、と判断されるレーザダイオードを使用する場合には、１／４波長板１５には、上述の補正膜が設けられない構成となる。
【００３２】
１／４波長板１５を補正膜が設けられるタイプとするか、また、補正膜が設けられる構成とする場合に、どのようなタイプの補正膜を有する１／４波長板１５とするか、については、光ピックアップ１に搭載するレーザダイオード１１の状態によって製造時に決定される。この点の詳細については、後述する光ピックアップ１の製造方法のところで述べる。１／４波長板１５から出射された往路のレーザビームは、立ち上げミラー１６に送られる。
【００３３】
立ち上げミラー１６は、１／４波長板１５から送られてきたレーザビームについて、その光軸が光記録媒体２の記録面２ａに対して垂直となるように反射する。立ち上げミラー１６で反射された往路のレーザビームは、対物レンズ１７へと送られる。
【００３４】
対物レンズ１７は、立ち上げミラー１６から送られてきたレーザビームについて、光記録媒体２の記録面２ａに集光する。対物レンズ１７は、図示しないアクチュエータに搭載され、光記録媒体２に接離する方向であるフォーカス方向と、ディスク状に形成される光記録媒体２の半径方向と平行な方向であるトラッキング方向と、に移動可能とされている。これにより、対物レンズ１７の焦点位置が常に光記録媒体２の記録面２ａに合致するように制御するフォーカシング制御が可能となる。また、対物レンズ１７によって集光されて形成されるビームスポットが、常に光記録媒体２に形成されるトラックに追従するように制御するトラッキング制御も可能となる。
【００３５】
シリンドリカルレンズ１８は、光記録媒体２で反射されて、対物レンズ１７、立ち上げミラー１６、１／４波長板１５、コリメートレンズ１４、及び偏光ビームスプリッタ１３の順に通過する復路のレーザビームに対して、非点収差を与える。
【００３６】
光検出器１９は、光記録媒体２で反射されたレーザ光を図示しない受光領域で受光して、光信号を電気信号へと変換する。光検出器１９から出力される電気信号は処理されて、再生信号や、フォーカスエラー信号や、トラッキングエラー信号等となる。
【００３７】
次に、本実施形態の光ピックアップ１の製造方法について説明する。光ピックアップ１の製造にあたっては、上述したレーザダイオード１１、各種光学部材１２〜１８、及び光検出器１９がそれぞれ用意され、光ピックアップを構成する基板（光ピックアップベース、図示せず）の所定位置に取り付けられる。
【００３８】
この際、光ピックアップベースに取り付けられるレーザダイオード１１については、製造時のばらつきによって、出射方向にばらつきがあることがわかっている。このために、まず、光ピックアップ１の製造時においては、光ピックアップ１に取り付けられるレーザダイオード１１について、レーザビームの出射方向が、本来狙いとしている方向（単に、狙いの方向と記載する場合がある）からどの程度ずれているかが調べられる。
【００３９】
ここで、レーザダイオード１１から出射されるレーザビームは、図２に示したように、その断面形状が楕円形状で、ｘ方向とｙ方向とで放射角が異なる。このため、ｙ方向に比べて放射角が小さいｘ方向について、レーザダイオード１１から出射されるレーザビームの出射方向が狙いの方向からずれた場合に、より大きな影響を受ける（対物レンズ１７に入射するレーザビームの位置ずれに伴う光強度分布ずれによる影響が大きいことを意味する）。このために、本実施形態においては、光強度分布ずれによる影響が大きいｘ方向のずれの大きさのみを調べ、そのずれの影響を補正する（詳細は後述する）構成となっている。
【００４０】
なお、レーザビームの出射方向が狙いの方向からどの程度ずれているか、については、通常、レーザダイオードの製造段階で調べられている。したがって、通常は、個々のレーザダイオードについてそのずれの大きさがわかっているために、その既知の値をチェックすればよい。また、万が一そのような特性が分からない場合には、個々のレーザダイオードについて、レーザビームの出射方向が、狙いの方向からどの程度ずれているかを調べる必要がある。この調査方法は、レーザダイオードの製造時に用いられる公知の手法によればよい。
【００４１】
上述のように、レーザダイオード１１のｘ方向のずれの大きさを調べたら、予め用意される３タイプの１／４波長板１５の中から、レーザダイオード１１の製造ばらつきの影響を抑制できるタイプのものを１つ選択する。以下、これについて詳細に説明する。
【００４２】
まず、予め用意される３タイプの１／４波長板１５がどのようなものであるかについて説明する。図３は、予め用意される３タイプの１／４波長板１５の構成を説明するための図で、図３（ａ）、図３（ｂ）、図３（ｃ）に、各タイプの１／４波長板１５が示されている。
【００４３】
図３（ａ）に示すタイプ（以下では、第１タイプという）は、単なる１／４波長板で、透過率分布を発生させるための補正膜は形成されていない。
【００４４】
図３（ｂ）に示すタイプ（以下では、第２タイプという）は、往路のレーザビームが入射する入射面１５ａの右側半分に、所定方向に所定の透過率分布を有する補正膜２０が形成されている。ここで、所定方向は、レーザダイオード１１から出射されるレーザビームのｘ方向（図２参照）の光強度分布を補正可能な方向（図１の上下方向、図３の左右方向が該当）である。なお、本実施形態では、１／４波長板１５に入射する往路のレーザビームは、偏光ビームスプリッタ１３で反射されたものであり、ここでいう所定方向と、ｘ方向と、は方向が一致していない。
【００４５】
また、右側半分に透過率分布を有する補正膜２０を形成する構成としているのは、レーザダイオード１１のｘ方向の出射方向ずれが、マイナス方向（図２参照）のずれである場合に、そのずれを補正できるようにするためである。更に、１／４波長板１５に形成される所定の透過率分布については、１／４波長板１５を出射して対物レンズ１７に入射するレーザビームの光強度分布が、対物レンズ１７の中心に対して、なるべく対称な分布となるように補正できる分布である。
【００４６】
なお、本実施形態では、レーザダイオード１１のｘ方向の出射方向ずれが、マイナスであれば、そのずれの大きさにかかわらず、第２のタイプの１／４波長板１５を選択する構成としている。このために、１／４波長板１５に形成される補正膜の透過率分布は、マイナス方向のずれの大きさがいずれの場合（製造ばらつきの範囲は限られているので、その限られた範囲内での話である）でも、対物レンズ１７に入射するレーザビームの光分布強度が、対物レンズ１７の中心に対してなるべく対称な分布となるように決定している。
【００４７】
図３（ｃ）に示すタイプ（以下では、第３タイプという）は、往路のレーザビームが入射する入射面１５ａの左側半分に、所定方向に所定の透過率分布を有する補正膜２０が形成されている。所定方向については、第２タイプの１／４波長板１５と同じであるために、説明を省略する。
【００４８】
左側半分に透過率分布を有する補正膜２０を形成する構成としているのは、レーザダイオード１１のｘ方向の出射方向ずれが、プラス方向（図２参照）のずれである場合に、そのずれを補正できるようにするためである。また、１／４波長板１５に形成される所定の透過率分布については、第２タイプの１／４波長板１５に形成される補正膜２０の場合との比較で、対称な透過率分布を有するように構成されている。
【００４９】
次に、レーザダイオード１１の状態に合わせて、この３タイプの１／４波長板１５の中から１つを選択する構成とした場合の作用について、図４を参照しながら説明する。
【００５０】
図４（ａ）は、レーザダイオード１１のｘ方向の出射方向ずれがない（必ずしもずれが０である必要はなく、ずれの影響が無視できる範囲まで含む）場合を説明するための図である。レーザダイオード１１のｘ方向の出射方向ずれがない場合には、レーザダイオード１１におけるずれを補正する必要がない。このために、対物レンズ１７に入射するレーザビームの光強度分布の補正を行う機能を持たない第１タイプの１／４波長板１５が選択される。そして、このような選択しても、図４（ａ）に示すように、対物レンズ１７に入射するレーザビームの光強度分布は対物レンズ１７の中心を基準に略対称な分布となる。
【００５１】
図４（ｂ）は、レーザダイオードのｘ方向の出射方向ずれが、マイナス方向（図２参照）にずれている場合を説明するための図である。レーザダイオードのｘ方向の出射方向ずれが、マイナス方向にずれている場合、このずれを補正しない場合には、図４（ｂ）の破線で示すように、対物レンズ１７に入射するレーザビームの光強度分布が、ずれを発生する。このために、このずれを補正する第２タイプの１／４波長板１５が選択される。
【００５２】
そして、第２タイプの１／４波長板１５を選択することにより、右側半分に形成される補正膜２０を通過するレーザビームについて光強度を所望のレベルに低下できる。これにより、図４（ｂ）の実線に示すように、対物レンズ１７に入射するレーザビームの光強度分布について、対物レンズ１７の中心を基準に略対称にする（近づける）ことができる。
【００５３】
図４（ｃ）は、レーザダイオードのｘ方向の出射方向ずれが、プラス方向（図２参照）にずれている場合を説明するための図である。レーザダイオードのｘ方向の出射方向ずれが、プラス方向にずれている場合、このずれを補正しない場合には、図４（ｃ）の破線で示すように、対物レンズ１７に入射するレーザビームの光強度分布がずれを発生する。このために、このずれを補正する第３タイプの１／４波長板１５が選択される。
【００５４】
そして、第３タイプの１／４波長板１５を選択することにより、左側半分に形成される補正膜２０を通過するレーザビームについて光強度を所望のレベルに低下できる。これにより、図４（ｃ）の実線に示すように、対物レンズ１７に入射するレーザビームの光強度分布について、対物レンズ１７の中心を基準に略対称にする（近づける）ことができる。
【００５５】
以上のように、本実施形態の光ピックアップ１の製造方法では、レーザダイオード１１の状態によって、３タイプ用意する１／４波長板１５から適切なものを選び、レーザダイオード１１、光学部材１２〜１８、光検出器１９の取り付けが行われる。この場合、レーザダイオードについて、アオリ調整を行う必要がなくなる。このために、光ピックアップ１製造時の作業負担を低減できる。また、アオリ調整をなくすにあたって、新たに部品点数を増やす必要がないという利点も有する。
【００５６】
以上に示した実施形態は一例であり、本発明は、上述の実施形態に限定されるものではなく、本発明の目的を逸脱しない範囲で種々の変更が可能である。
【００５７】
以上の実施形態においては、１／４波長板１５について３タイプ準備し、レーザダイオード１１の状態に合わせて、３タイプの中からいずれか１つを選択する構成とした。しかし、これに限定されない。レーザダイオード１１の出射方向ずれの影響をより適切に補正するために、１／４波長板１５の補正膜２０が形成されるタイプについて、更に多くの種類としても構わない。
【００５８】
また、以上の実施形態においては、１／４波長板１５に、レーザダイオード１１の製造ばらつきの影響を補正するための補正膜２０を設ける構成とした。しかし、レーザダイオード１１の製造ばらつきの影響を補正するための補正膜は、１／４波長板以外の光学部材に形成しても構わない。ただし、このような補正膜を設ける光学部材は、所望の透過率分布を有する補正膜を形成し易いように、平行光が入射する位置に配置されるのが好ましい。この点を考慮して、本実施形態では、コリメートレンズ１４から出射されるレーザビームが入射する１／４波長板１５に、レーザダイオード１１の製造ばらつきの影響を補正するための補正膜を形成する構成としている。
【００５９】
その他、本実施形態の光ピックアップは、１種類の光記録媒体に対応する構成としているが、これに限定される趣旨ではない。すなわち、例えば対応する光記録媒体の種類に合わせて複数の光学系を有する光ピックアップに対しても適用可能である。
【産業上の利用可能性】
【００６０】
本発明によれば、光源部の製造ばらつきの影響を、少ない作業負担で、且つ、部品点数を増やすことなく抑制できる光ピックアップ、及びその製造方法を提供できるために、光ピックアップの分野で有用である。
【図面の簡単な説明】
【００６１】
【図１】は、本実施形態の光ピックアップの光学系の構成を示す概略図である。
【図２】は、レーザダイオードから出射されるレーザビームについて説明するための図である。
【図３】は、本実施形態の光ピックアップの製造時において、予め用意される３つのタイプの１／４波長板の構成を説明するための図である。
【図４】は、本実施形態の光ピックアップの製造時において、レーザダイオードの状態に合わせて、予め用意される３つのタイプの１／４波長板中から１つを選択する構成とした場合の作用を説明するための図である。
【図５】は、光ピックアップが備える対物レンズに入射する光ビームの光強度分布について説明するための図である。
【符号の説明】
【００６２】
１          光ピックアップ
２          光記録媒体
２ａ        記録面
１１        レーザダイオード（光源部）
１４        コリメートレンズ（平行光変換手段）
１５        １／４波長板（光学部材）
１７        対物レンズ（集光手段）
２０        補正膜
【図１】
2009104742.tif 000003
【図２】
2009104742.tif 000004
【図３】
2009104742.tif 000005
【図４】
2009104742.tif 000006
【図５】
2009104742.tif 000007